(57)【要約】【課題】不具合発生の場合は、点検終了後、直ちにその状況と対応策とを送信し、報告の内容に応じて緊急に対策が取れる構内設備維持管理システム及びその方法の提供を目的とする。【解決手段】電力所及び営業所における構内の、所定の設備の点検結果を報告するための電力所及び営業所のデータ端末ａ１〜ａｎと、点検作業の受注と、点検結果生じた修理の受注と、修理の報告とについて、データの入出力を行う点検修理会社のデータ端末ｂ１〜ｂｎと、点検修理会社のデータ端末に点検作業の発注をし、電力所及び営業所のデータ端末からの点検結果に対して、点検修理会社のデータ端末に修理の発注を行い、修理の報告を受信して所轄の構内設備の維持管理を行う構内設備維持管理装置１０と、データ通信回線２０とから構成される。【選択図】      図１
2006309460.tif 000002
【特許請求の範囲】
【請求項１】
各管轄区域内に分散して設置されている電力所及び営業所における構内の、所定の設備の点検結果を報告するための前記電力所及び営業所のデータ端末と、
各管轄県内に分散して存在し、点検作業の受注と、点検結果生じた修理の受注と、前記修理の報告とについて、データの入出力を行う点検修理会社のデータ端末と、
データセンタに設置され、前記点検修理会社のデータ端末に前記点検作業の発注をし、前記電力所及び営業所のデータ端末からの前記点検結果に対して、前記点検修理会社のデータ端末に修理の発注を行い、前記修理の報告を受信して所轄の構内設備の維持管理を行う構内設備維持管理装置とが、
データ通信回線に接続されて成ることを特徴とする構内設備維持管理システム。
【請求項２】
前記構内設備維持管理装置は、前記電力所及び営業所のデータ端末及び前記点検修理会社のデータ端末とデータの送受信を行うデータ入出力手段と、
前記点検修理会社のデータ端末に前記点検作業の発注を行う点検発注手段と，
前記電力所及び営業所のデータ端末から受信した前記点検結果の報告を基に、前記点検修理会社のデータ端末に修理の発注を行う修理発注手段と、
前記電力所及び営業所のデータ端末からの前記点検結果と、前記点検修理会社からの前記修理の報告とを受信して、所轄の構内設備の維持管理を行う構内設備維持管理手段とを、
有することを特徴とする請求項１に記載の構内設備維持管理システム。
【請求項３】
前記電力所及び営業所のデータ端末が、前記点検修理会社所有の携帯電話、携帯パソコンあるいはＰＤＡであることを特徴とする請求項１又は２に記載の構内設備維持管理システム。
【請求項４】
構内設備維持管理装置から点検修理会社のデータ端末に点検作業の受注を行うステップと、
各管轄区域内に分散して設置されている電力所及び営業所のデータ端末から、所定の設備の点検結果の報告を受信するステップと、
前記点検結果に対応して、前記点検修理会社のデータ端末に修理の発注を行うステップと、
前記点検修理会社のデータ端末から前記修理の報告をするステップと、
前記電力所及び営業所のデータ端末からの前記点検結果と、前記点検修理会社からの前記修理の報告とを受信して、所轄の構内設備の維持管理を行うステップと、
から成ることを特徴とする構内設備維持管理方法。
【発明の詳細な説明】
【技術分野】
【０００１】
本発明は構内設備の保全管理に関し、詳しくは、消防設備、浄化槽などの構内に設置された設備の安全維持管理を迅速に行うための構内設備維持管理システム及びその方法に関する。
【背景技術】
【０００２】
各区域に分散して存在する営業所及び電力所の施設構内に設置された浄化槽や消防設備等は、点検修理会社に点検作業を発注し、点検結果の報告を基に設備の保全管理を行っている。しかし、点検結果を報告書で受領しているため、点検修理会社からの報告に時間を要していた。このため、結果のについての把握が遅れ、不具合に対する対策が迅速に取れない場合があり、不具合の状況次第では、安全管理上に問題が生じる場合があった。特許文献１には、集中管理センタで集中管理できる浄化槽の異常通報システムが記載されている。
【特許文献１】特開２００３−３１１２８３号公報
【発明の開示】
【発明が解決しようとする課題】
【０００３】
本発明は、このような問題を解決するためになされたものであり、不具合発生の場合は、点検終了後、直ちにその状況と対応策とを送信し、報告の内容に応じて緊急に対策が取れる構内設備維持管理システム及びその方法の提供を目的とする。
【課題を解決するための手段】
【０００４】
本発明の構内設備維持管理システムは、各管轄区域内に分散して設置されている電力所及び営業所における構内の、所定の設備の点検結果を報告するための前記電力所及び営業所のデータ端末と、
各管轄区域内に分散して存在し、点検作業の受注と、点検結果生じた修理の受注と、前記修理の報告とについて、データの入出力を行う点検修理会社のデータ端末と、
データセンタに設置され、前記点検修理会社のデータ端末に前記点検作業の発注をし、前記電力所及び営業所のデータ端末からの前記点検結果に対して、前記点検修理会社のデータ端末に修理の発注を行い、前記修理の報告を受信して所轄の構内設備の維持管理を行う構内設備維持管理装置とが、
データ通信回線に接続されて成ることを特徴とする。
【０００５】
前記構内設備維持管理システムの前記構内設備維持管理装置は、前記電力所及び営業所のデータ端末及び前記点検修理会社のデータ端末とデータの送受信を行うデータ入出力手段と、
前記点検修理会社のデータ端末に前記点検作業の発注を行う点検発注手段と、
前記電力所及び営業所のデータ端末から受信した前記点検結果の報告を基に、前記点検修理会社のデータ端末に修理の発注を行う修理発注手段と、
前記電力所及び営業所のデータ端末からの前記点検結果と、前記点検修理会社からの前記修理の報告とを受信して、所轄の構内設備の維持管理を行う構内設備維持管理手段とを、
有することを特徴とする。
【０００６】
前記構内設備維持管理システムの前記電力所及び営業所のデータ端末が、前記点検修理会社所有の携帯電話、携帯パソコンあるいはＰＤＡであることを特徴とする。
【０００７】
本発明の構内設備維持管理方法は、構内設備維持管理装置から点検修理会社のデータ端末に点検作業の発注を行うステップと、
各管轄区域内に分散して設置されている電力所及び営業所のデータ端末から、所定の設備の点検結果の報告を受信するステップと、
前記点検結果に対応して、前記点検修理会社のデータ端末に修理の発注を行うステップと、
前記点検修理会社のデータ端末から前記修理の報告をするステップと、
前記電力所及び営業所のデータ端末からの前記点検結果と、前記点検修理会社からの前記修理の報告とを受信して、所轄の構内設備の維持管理を行うステップと、
から成ることを特徴とする。
【発明の効果】
【０００８】
本発明の構内設備維持管理システム及びその方法によれば、所定構内設備の点検発注と、点検終了後の報告と、報告に対し必要な修理の発注と、修理終了後の報告とを一元化して管理することにより、所轄の構内設備の保全管理が迅速に行われ、安全管理上の問題に対し即応性のある措置を講ずることができるため、地域差のない均質な構内設備の維持管理が可能となる。
【発明を実施するための最良の形態】
【０００９】
本発明による、構内設備維持管理システムの実施の形態について、図を用いて説明する。図１は、本発明の構内設備維持管理システムのハードウエア構成を示すブロック図である。図１に示すように、構内設備維持管理システム３０は、データセンタに設置され、管轄する構内設備の維持管理をする構内設備維持管理装置１０と、各管轄区域内に分散して設置されている電力所及び営業所のデータ端末ａ１〜ａｎと、各管轄区域内に分散して存在する点検修理会社のデータ端末ｂ１〜ｂｎとがデータ通信回線２０を介して接続されて構成される。図１の実施例におけるデータ通信回線２０は、インターネット通信網を用いて実施しても良く、電力供給サイドのデータ専用通信網を用いても良い。
【００１０】
図１において、構内設備維持管理システム３０の構内設備維持管理装置１０は、構内設備維持管理ファイルを基に、点検修理会社のデータ端末ｂ１〜ｂｎの内、所定のデータ端末に、データ通信回線３０を介して、所定の構内設備の点検作業を発注する。点検の発注を受けた点検修理会社は、所定の電力所又は営業所の、所定の構内設備の点検が終わると、当該電力所又は営業所のデータ端末ａ１〜ａｎから、所定のフォーマットに従って、点検の結果を、データ通信回線３０を介して、構内設備維持管理装置１０へ送信する。
【００１１】
構内設備維持管理装置１０は、受信した点検結果に対応して、修理の発注を、点検修理会社のデータ端末ｂ１〜ｂｎの内、所定のデータ端末へ送信する。修理の発注を受けた点検修理会社は、所定の電力所又は営業所の、所定の構内設備の修理が終わると、当該電力所又は営業所のデータ端末ａ１〜ａｎから、所定のフォーマットに従って、修理結果を、構内設備維持管理装置１０へ送信する。構内設備維持管理装置１０は、受信した点検結果と修理結果とから構内設備維持管理ファイルを更新する。電力所又は営業所からの点検結果及び修理結果の送信は、点検修理会社所有の携帯電話、携帯パソコンあるいはＰＤＡであってもよい。
【００１２】
図２は、構内設備維持管理装置１０のハードウエア構成図である。構内設備維持管理装置１０は、データ処理部１１、ファイル記憶部１２、一時記憶部１３及び入出力部１４から構成される。図２において、構内設備維持管理装置１０のファイル記憶部１２には、予め、構内設備維持管理ファイルと、データ入出力、点検発注、修理発注、及び構内設備維持管理の各プログラムとが記憶されている。データ処理部１１は、ファイル記憶部１２から、構内設備維持管理ファイルと各プログラムを読み出し、一時記憶部１３に記憶する。一時記憶部１３に記憶された各プログラムは再びデータ処理部１１に読み出され、データ入出力手段、点検発注手段、修理発注手段、及び構内設備維持管理手段の各手段として機能する。
【００１３】
構内設備維持管理手段は、ファイル記憶部１２から構内設備維持管理ファイルを読み出し、一時記憶部１３に記憶する。点検発注手段は、一時記憶された構内設備維持管理ファイルから、管轄する電力所及び営業所の構内設備データを順次読み出し、構内設備データの持つスケジュールデータに従って点検発注リストを作成する。データ入出力手段は、点検発注手段の指定する点検発注リストの順序に従い、点検修理会社のデータ端末ｂ１〜ｂｎの内、所定のデータ端末に、点検作業の発注データを順次送信すると共に、該当する電力所又は営業所のデータ端末ａ１〜ａｎへ、点検作業の発注終了のデータを送信する。
【００１４】
データ入出力手段は、所定のフォーマットに従って送られてきた点検の結果のデータを一時記憶部１３に記憶する。修理発注手段は、一時記憶部１３から読み出した点検結果のデータに従って修理発注リストを作成する。データ入出力手段は、修理発注手段の指定する修理発注リストの順序に従い、点検修理会社のデータ端末ｂ１〜ｂｎの内、所定のデータ端末に、修理作業の発注データを順次送信すると共に、該当する電力所又は営業所のデータ端末ａ１〜ａｎへ、修理作業の発注終了のデータを送信する。
【００１５】
データ入出力手段は、所定のフォーマットに従って送られてきた修理の結果のデータを一時記憶部１３に記憶する。構内設備維持管理手段は、ファイル記憶部１２から構内設備維持管理ファイルを読み出し、一時記憶部１３に記憶すると共に、点検の結果のデータ及び修理の結果のデータを基に構内設備維持管理ファイルを更新し、再びファイル記憶部１２へ蓄積する。構内設備維持管理ファイルの更新においては、更に詳しい最終報告を点検修理会社のデータ端末ｂ１〜ｂｎから受信し、この最終報告データの所望のデータを構内設備維持管理ファイルに追加して更新しても良い。
【００１６】
図１に示されるハードウエア構成は、当該機能を実現する手段であれば、どのような回路または装置であってもよく、また機能の一部をソフトウエアで実現することも可能である。更に機能の実現手段を、複数の回路によって実現してもよく、複数の機能を単一の装置で実現してもよい。
【００１７】
図３は、本発明による構内設備維持管理方法の処理の流れを示すフローチャートである。構内設備維持管理システム３０がスタートすると、構内設備維持管理装置１０は、構内設備維持管理ファイルを読み出す（ステップ１００、ステップ１１０）。管轄する電力所及び営業所の構内設備が点検の対象であるか否かを順次チェックし、点検の対象であれば、所定の手順に従って、該当する点検修理会社のデータ端末ｂ１〜ｂｎに点検作業の発注を行い、点検の対象でなければ、次のデータのチェックを開始する（ステップ１２０、ステップ１３０）。点検作業を受注した点検修理会社が点検を終了し、点検結果を該当する電力所又は営業所のデータ端末ａ１〜ａｎから受信する（ステップ１４０、ステップ１５０）。
【００１８】
受信した点検結果のデータから、修理が必要であるか否かを判断し、必要であれば所定の手順に従って、該当する点検修理会社のデータ端末ｂ１〜ｂｎに修理作業の発注を行う（ステップ１６０、ステップ１７０）。修理作業を受注した点検修理会社が修理を終了し、修理結果を該当する電力所又は営業所のデータ端末ａ１〜ａｎから受信する（ステップ１８０、ステップ１９０）。ステップ１６０において、修理が必要でなかった点検結果のデータと修理結果のデータとを基に、構内設備維持管理ファイルを更新し、更新された構内設備維持管理ファイル蓄積して終了する（ステップ２００、ステップ２１０）。
【００１９】
図３に示す構内設備維持管理方法の処理の流れは、当該機能を実現する処理の流れであればどのようなフローであってもよく、特に制限されるものではない。以上説明したように本発明によれば、所定構内設備の点検発注と、点検終了後の報告と、報告に対し必要な修理の発注と、修理終了後の報告とを一元化して管理することにより、所轄の構内設備の保全管理が迅速に行われ、安全管理上の問題に対し即応性のある措置を講ずることができるため、地域差のない均質な構内設備の維持管理が可能となる。
【図面の簡単な説明】
【００２０】
【図１】本発明の構内設備維持管理システムのハードウエア構成を示すブロック図。
【図２】構内設備維持管理装置のハードウエア構成を示すブロック図。
【図３】本発明による構内設備維持管理方法の処理の流れを示すフローチャート。
【符号の説明】
【００２１】
１０  構内設備維持管理装置
１１  データ処理部
１２  ファイル記憶部
１３  一時記憶部
１４  入出力部
２０  データ通信回線
３０  構内設備維持管理システム
ａ１〜ａｎ  電力所及び営業所のデータ端末
ｂ１〜ｂｎ  点検修理会社のデータ端末
【図１】
2006309460.tif 000003
【図２】
2006309460.tif 000004
【図３】
2006309460.tif 000005